(57)【要約】本発明は、ホイールハブに取付け可能な車両用ホイールのタイヤのタイヤ内腔に圧力媒体を供給するコンプレッサー装置に関する。ホイールハブは、回転軸の周りに回転可能であるようにホイールキャリアにおいて支持することができる。
2019535586.tif 000002
【特許請求の範囲】
【請求項１】
ホイールハブ（１８）に取付け可能な車両用ホイールのタイヤのタイヤ内腔（２４）に圧力媒体を供給するコンプレッサー装置（１０）であって、前記ホイールハブ（１８）は、回転軸（２９）の周りに回転可能であるようにホイールキャリア（１６）において支持することができ、
該コンプレッサー装置（１０）は、コンプレッサー部材（３６）の並進運動によって容積が変化可能な少なくとも１つのハブ側圧縮室（４０、４２）を備え、該圧縮室（４０、４２）の体積が減少すると、前記タイヤ内腔に導かれる圧力媒体を圧力下に置くことができ、該コンプレッサー装置（１０）は、トランスミッション（３３）、好ましくはカムトランスミッションを備え、該トランスミッション（３３）は、ホイールキャリア側トランスミッション部分（４４）とハブ側トランスミッション部分（３４）との相互作用によって、ホイールキャリア側とホイールハブ側との回転運動を前記コンプレッサー部材（３６）の振動並進運動に変換するように構成され、前記ホイールキャリア側トランスミッション部分（４４）は、円筒カム（５２）を備えることを特徴とするコンプレッサー装置。
【請求項２】
請求項１に記載のコンプレッサー装置（１０）であって、前記ホイールキャリア側トランスミッション部分（４４）は、溝状のカムトラック（５０）を有することを特徴とするコンプレッサー装置。
【請求項３】
請求項１または２に記載のコンプレッサー装置（１０）であって、前記ハブ側トランスミッション部分（３４）は、プランジャー出力部を備えることを特徴とするコンプレッサー装置。
【請求項４】
請求項１〜３の何れか１項に記載のコンプレッサー装置（１０）であって、前記コンプレッサー部材（３６）の並進運動が少なくとも部分的に前記回転軸（２９）の方向において、好ましくは完全に前記回転軸（２９）の方向において行われることを特徴とするコンプレッサー装置。
【請求項５】
請求項１〜４の何れか１項に記載のコンプレッサー装置（１０）であって、前記ハブ側トランスミッション部分（３４）は、前記円筒カム（５２）に係合する、好ましくは前記溝状のカムトラック（５０）に係合する鉛筆形の係合要素（４８）を備えることを特徴とするコンプレッサー装置。
【請求項６】
請求項１〜５の何れか１項に記載のコンプレッサー装置（１０）であって、前記ハブ側トランスミッション部分（３４）は、前記円筒カム（５２）に係合する係合要素（４８）を備え、該係合要素（４８）は、前記ホイールキャリア側トランスミッション部分（４４）に面する端部（７０）において、径方向（６６）に見て広がるような断面を有することを特徴とするコンプレッサー装置。
【請求項７】
請求項１〜６の何れか１項に記載のコンプレッサー装置（１０）であって、前記円筒カム（２５）は、少なくとも１つのカムフランク（７２）を有し、該カムフランク（７２）は、少なくとも径方向（６６）に見て回転軸に向かう経路の部分領域に延在することを特徴とするコンプレッサー装置。
【請求項８】
請求項１〜７の何れか１項に記載のコンプレッサー装置（１０）であって、前記ホイールキャリア側トランスミッション部分（４４）は、溝状のカムトラック（５０）を有し、該カムトラック（５０）は、２つの対向するカムフランク（７２）を有し、該カムフランク（７２）は、それぞれ少なくとも径方向（６６）に見て回転軸に向かう経路の部分領域に延在することを特徴とするコンプレッサー装置。
【請求項９】
請求項１〜８の何れか１項に記載のコンプレッサー装置（１０）であって、前記コンプレッサー部材（３８）は、環状ピストン（３６）を含むことを特徴とするコンプレッサー装置。
【請求項１０】
請求項１〜９の何れか１項に記載のコンプレッサー装置（１０）であって、前記回転軸（２９）に沿って見て、前記ハブ側トランスミッション部分（３４）の前記円筒カム（５２）との接触部の前後にそれぞれ圧縮室（４０、４２）が設けられることを特徴とするコンプレッサー装置。
【請求項１１】
請求項１〜１０の何れか１項に記載のコンプレッサー装置（１０）であって、前記ホイールキャリア側トランスミッション部分（４４）は、前記ハブ側トランスミッション部分（３４）の径方向内方に配置されることを特徴とするコンプレッサー装置。
【請求項１２】
請求項１〜１１の何れか１項に記載のコンプレッサー装置（１０）であって、前記ホイールキャリア側トランスミッション部分（４４）は、前記ハブ側トランスミッション部分（３４）の径方向外方に配置されることを特徴とするコンプレッサー装置。
【請求項１３】
請求項１〜１２の何れか１項に記載のコンプレッサー装置（１０）であって、前記ハブ側トランスミッション部分（３４）は、好ましくは専ら径方向（６６）の並進運動によって、前記ホイールキャリア側トランスミッション部分（４４）と相互作用する位置に移行可能であることを特徴とするコンプレッサー装置。
【請求項１４】
請求項１〜１３の何れか１項に記載のコンプレッサー装置（１０）であって、前記ハブ側トランスミッション部分（３４）は、好ましくは専ら径方向（６６）周りの回転運動によって、前記ホイールキャリア側トランスミッション部分（４４）と相互作用する位置に移行可能であることを特徴とするコンプレッサー装置。
【請求項１５】
請求項１〜１４の何れか１項に記載のコンプレッサー装置（１０）であって、前記回転軸（２９）に関して真正面に対向する２つのハブ側トランスミッション部分（３４）を備えることを特徴とするコンプレッサー装置。
【請求項１６】
請求項１〜１５の何れか１項に記載のコンプレッサー装置（１０）であって、該コンプレッサー装置（１０）は、連結機構（５４）を備え、該連結機構（５４）によって、前記ハブ側トランスミッション部分（３４）を前記ホイールキャリア側トランスミッション部分（４４）と相互作用させることができることを特徴とするコンプレッサー装置。
【請求項１７】
請求項１〜１６の何れか１項に記載のコンプレッサー装置（１０）であって、前記連結機構（５４）は、前記ハブ側トランスミッション部分（３４）が前記ホイールキャリア側トランスミッション部分（４４）と相互作用しない位置に付勢されるように構成されることを特徴とするコンプレッサー装置。
【請求項１８】
請求項１〜１７の何れか１項に記載のコンプレッサー装置（１０）であって、前記連結機構（５４）は、空気式、磁気式または電気機械式に作動可能であることを特徴とするコンプレッサー装置。
【請求項１９】
請求項１〜１８の何れか１項に記載のコンプレッサー装置（１０）であって、前記連結機構（５４）は、前記タイヤ内腔（２４）からの圧力媒体によって作動可能であることを特徴とするコンプレッサー装置。
【請求項２０】
請求項１〜１９の何れか１項に記載のコンプレッサー装置（１０）であって、連結機構（５４）とタイヤ内腔（２４）との間には、前記タイヤ内腔（２４）からの圧力媒体が接するカップリングバルブ（７０、３１０）が流動的に設けられ、該カップリングバルブ（７０、３１０）は、タイヤ圧力閾値を下回ると開き、それにより、前記連結機構（５４）は、前記タイヤ内腔（２４）からの圧力媒体によって作動し、前記ハブ側トランスミッション部分（３４）を前記ホイールキャリア側トランスミッション部分（４４）と相互作用させることを特徴とするコンプレッサー装置。
【請求項２１】
請求項１〜２０の何れか１項に記載のコンプレッサー装置（１０）であって、前記カップリングバルブ（７０）は、好ましくは前記タイヤ圧力閾値を超えるタイヤ圧力目標値を上回ると閉じ、それにより、前記連結機構（５４）に圧力媒体を作用させることが中止され、好ましくは、前記カップリングバルブ（７０、３１０）またはリリーフバルブ（７４、３２０）は、タイヤ圧力目標値を上回ると、前記連結機構（５４）の排気を行うことを特徴とするコンプレッサー装置。
【請求項２２】
請求項１〜２１の何れか１項に記載のコンプレッサー装置（１０）であって、該コンプレッサー装置（１０）は、前記タイヤ内腔（２４）における圧力媒体の圧力、温度および／または湿度の測定および／または表示を行う装置（２１０）を備え、好ましくは、該装置（２１０）は、前記圧力媒体導管（２２）を介して前記タイヤ内腔（２４）に接続可能であることを特徴とするコンプレッサー装置。
【請求項２３】
請求項１〜２２の何れか１項に記載のコンプレッサー装置（１０）であって、圧力媒体入口側が、フィルター（２００）に接続することを特徴とするコンプレッサー装置。
【請求項２４】
請求項１〜２３の何れか１項に記載のコンプレッサー装置（１０）であって、前記フィルター（２００）を清掃するために、前記タイヤ内腔（２４）からの、或いは、該コンプレッサー装置（１０）による送達を介した圧力媒体を用いるように構成されることを特徴とするコンプレッサー装置。
【発明の詳細な説明】
【技術分野】
【０００１】
本発明は、請求項１のプリアンブルに記載のタイヤのタイヤ内腔に圧力媒体を供給するコンプレッサー装置に関する。ここで、タイヤのタイヤ内腔は、ホイールハブに取付け可能な車両用ホイールの一部であり、ホイールハブは、回転軸の周りに回転可能であるようにホイールキャリアにおいて支持されている。
【背景技術】
【０００２】
車両用タイヤのタイヤ内腔に、例えば圧縮空気等の圧力媒体を満たすために、タイヤバルブを車両用ホイールに設け、このタイヤバルブを介して圧力媒体をタイヤ内腔に導入することができることが既知である。
【０００３】
乗用車、トラックまたは商用車両等の車両では、タイヤバルブは、通常、タイヤが取り付けられるリムの領域に配置されるため、外側から簡単にアクセス可能である。
【０００４】
タイヤバルブは、タイヤ圧力を、特に手動で、制御、場合によっては補正することができるように、例えばホースによって、車両外部の圧力媒体源に接続することができる。
【０００５】
さらに、車両用タイヤのタイヤ内腔の圧力媒体充填を自律的に行うことができる車両側圧力媒体供給システムが既知である。これに関して、車両側に設けられた中央圧力媒体源、例えばコンプレッサーまたはアキュムレーターから、ホイールまで、圧力媒体導管が設けられ、タイヤ内腔へと続くことが既知である。ホイールキャリア等の車両に対して回転しない部材から、走行動作時に回転するホイールへの移行部において、いわゆるロータリージョイントが実現され、それにより、走行中、すなわちホイールが回転する場合でも、圧力媒体充填が可能になる。このようにして、タイヤ圧力を、例えば、変化する積載率、路面および周囲温度に適合させることができ、或いは、例えば拡散によって漏れを補償することができる。
【０００６】
既知のシステムの問題は、車両外部の圧力媒体源においてそれぞれ保持され、全てのタイヤ内腔における圧力を、労力をかけて試験しなければならないことである。ロータリージョイントを介して圧力媒体をタイヤ内腔に送達する既知の車両側圧力媒体源では、圧力媒体に対するロータリージョイントの動作安全性が問題となる。ロータリージョイントは、非常に高いコストをかけなければ、車両の寿命を長らえさせるように丈夫で長寿命に作製することができず、そのため、費用がかさみ不経済である。
【発明の概要】
【発明が解決しようとする課題】
【０００７】
本発明の課題は、車両の総寿命にわたって信頼性がありメンテナンスが少なくて済むように、タイヤ内腔への圧力媒体の充填を保証するコンプレッサー装置を創出することである。
【０００８】
この場合、コンプレッサー装置は自動的に動作することが好ましい。「自動的に」とは、ここでは、車両外部の圧力媒体源を保持、使用する必要がないことと理解される。本発明に係るコンプレッサー装置の動作の開始は自律的に行うことができるが、ただし、車両内に任意に構成された調整装置若しくは制御装置を介して、或いは、運転者による制御信号に基づいて行うことができる。
【課題を解決するための手段】
【０００９】
上記課題は、請求項１に記載のコンプレッサー装置によって解決される。本発明に係るコンプレッサー装置は、コンプレッサー装置が、コンプレッサー部材の並進運動によって容積が変化可能な少なくとも１つのハブ側圧縮室を備え、圧縮室の容積の減少によって、タイヤ内腔に導かれる圧力媒体を圧力下に置くことができ、コンプレッサー装置は、トランスミッション、好ましくはカムトランスミッションを備え、トランスミッションは、ホイールキャリア側トランスミッション部分とハブ側トランスミッション部分との相互作用によって、ホイールキャリア側とホイールハブ側との回転運動がコンプレッサー部材の振動並進運動に変換されるように構成され、ホイールキャリア側トランスミッション部分は、円筒カムを備えることを特徴とする。
【００１０】
そのようなコンプレッサー装置は、純粋に機械的に可能な構成に基づいて、非常に丈夫に構成することができるという利点を有する。圧縮室をハブ側に配置することによって、圧力下にある圧力媒体が車両用ホイールの回転部分に直接提供されるため、圧力媒体に対するロータリージョイントは不要になる。換言すれば、圧力媒体は、使用位置、すなわち回転するタイヤ内腔に直接提供される。
【００１１】
圧力媒体に対するロータリージョイントは、構成が難しく、信頼性があり長期にわたり機能するような実現が技術的に困難である。そうした圧力媒体ロータリージョイントの実現は、車両用ホイールの領域における悪条件により、ここでは汚染および衝撃負荷が予想されることから、更に困難になる。本発明に係るコンプレッサー装置により、コンプレッサー装置が取り付けられた車両の走行動作時、常に十分な圧力下の圧力媒体が利用可能になり、従って、常にタイヤの十分な充填を保証することが可能である。
【００１２】
コンプレッサー部材の並進運動が少なくとも部分的に回転軸の方向において、好ましくは完全に回転軸の方向において行われる場合が有利である。それにより、コンプレッサー装置は、容積の大きい圧縮室とともに、径方向に、すなわち、回転軸の方向に対して直交方向に特に省スペースに実現することができる。
【００１３】
本願の文脈において、「ハブ側」および「ハブ側部品」とは、ホイールハブに対して回転しないように配置された部品のことと理解される。従って、そのような部品は、ホイールハブに直接または間接的に接続され、ホイールハブのホイールキャリアに対する回転時、ホイールハブとともに回転するようになっている。ホイールキャリアは、車両に固定されている。そのため、ホイールキャリア側およびホイールキャリア側の部品は、ホイールキャリアに対して回転しない。従って、ホイールまたはホイールハブの回転時、ホイールキャリア側部品、例えば車両の車室と、ホイールまたはタイヤ、ホイールハブ、および、更なるハブ側部品との間の回転相対運動が行われる。
【００１４】
従って、ホイールキャリア側トランスミッション部分は、車両に設けられた状態において、完全に回転しないようにホイールキャリア側部品に接続される。車両の走行動作時、ホイールキャリア側トランスミッション部分のいずれの部分も回転しない。ハブ側部品のみが回転し、詳細には、ハブ側トランスミッション部分が、完全に回転軸周りに回転する。
【００１５】
従って、ハブ側トランスミッション部分は、車両の走行動作時に回転するハブ側部品に関して常に回転しない。ホイールキャリア側トランスミッション部分は、コンプレッサー装置が動作中の場合、ただし好ましくは常に、いずれの場合でも車両またはホイールキャリア側部品とともに回転しない。
【００１６】
ホイールキャリア側トランスミッション部分は、完全に固定されて動かず、従って、ホイールキャリア側に対して回転運動も並進運動もせずに配置されることが好ましい。
【００１７】
本発明に係るコンプレッサー装置は、車両の各ホイールに配置され、それにより、車両の全てのホイールが、常にそれぞれのタイヤ内腔における十分な圧力を供給されることが好ましい。各ホイールはそれに応じて固有の圧力媒体供給を伴うので、圧力媒体供給のためのロータリージョイントは不要である。
【００１８】
上述のコンプレッサー装置が組み込まれた車両も本発明の主題である。
【００１９】
ホイールキャリア側トランスミッション部分が溝状のカムトラックを有することが特に有利である。
【００２０】
溝状のカムトラックをホイールキャリア側トランスミッション部分に設けることによって、ハブ側トランスミッション部分の形状係合によるガイドを簡単な様式で実現することが可能であり、それにより、ホイールキャリア側とハブ側との間の、すなわちホイールとともに回転する部品との回転運動が、常に制御されて変換されることが確実になる。さらに、これにより、ハブ側トランスミッション部分を簡単な構築形態で構成することができる。
【００２１】
さらに、ハブ側トランスミッション部分がプランジャー出力部を含む場合が有利である。これにより、簡単かつ正確に規定された様式で、コンプレッサー部材の振動並進運動が確実になる。
【００２２】
好ましい一実施形態において、コンプレッサー装置は、ハブ側トランスミッション部分が、円筒カムに係合する、好ましくは溝状のカムトラックに係合する鉛筆形の係合要素を有するように形成される。ハブ側トランスミッション部分をそのように実施することにより、ハブ側トランスミッション部分とホイールキャリア側トランスミッション部分との間の効果的な力伝達および運動変換が可能になる。
【００２３】
本発明に係るコンプレッサー装置の更なる好ましい実施形態において、ハブ側トランスミッション部分は、円筒カムに係合する係合要素を有し、係合要素は、ホイールキャリア側トランスミッション部分に面する端部に、軸方向に広がる断面を有する。それにより、係合要素がホイールキャリア側トランスミッション部分の円筒カムに、圧力を受けず、略摺動式に係合することが可能になる。
【００２４】
本発明に係るコンプレッサー装置の更に好ましい一実施形態は、円筒カムが、少なくとも径方向に見て回転軸に向かう経路の部分領域に延在する少なくとも１つのカムフランクを有することを特徴とする。
【００２５】
対応して形成されたカムフランクにより、ハブ側トランスミッション部分とホイールキャリア側トランスミッション部分との滑らかな係合が可能になる。さらに、先程記載したカムフランクと、上述したような断面が広がった係合要素との組合せが特に好ましい。
【００２６】
さらに、ホイールキャリア側トランスミッション部分は、溝状のカムトラックを有し、カムトラックは、２つの対向するカムフランクを有し、カムフランクは、それぞれ少なくとも径方向に見て回転軸に向かう経路の部分領域に延在することが好ましい。そのように延在するカムフランクは、ハブ側トランスミッション部分と相互作用するホイールキャリア側トランスミッション部分の滑らかな係合だけでなく、自己調心作用も可能にする。ハブ側トランスミッション部分と先程記載したカムトラックとが係合することで、ハブ側トランスミッション部分は略正しい係合位置へと押される。
【００２７】
コンプレッサー部材が環状ピストンを含む実施形態も好ましい。
【００２８】
それにより、この実施形態では、環状ピストンの周方向範囲全体を、圧縮室を提供するのに利用することができるため、最小の設置空間要件で最大限達成可能な送達率が実現される。
【００２９】
また、回転軸に沿って見て、それぞれハブ側トランスミッション部分の円筒カムとの接触部の前後に圧縮室が設けられることを特徴とする実施形態が有利である。これにより、高い送達率が可能である。コンプレッサー部材は振動並進運動を行うので、この実施形態では、圧力媒体を送達するのに、往復運動を利用することができる。
【００３０】
更なる好ましい一実施形態は、ホイールキャリア側トランスミッション部分が、ハブ側トランスミッション部分の径方向内方に配置されることを特徴とする。
【００３１】
これにより、簡単な省スペースの方法で、ホイールキャリア側トランスミッション部分をホイールキャリアに接続することができるとともに、ホイールキャリア側トランスミッション部分の周りに、ハブ側トランスミッション部分を省スペースに配置することができる。また、この実施例では、ホイールキャリア側トランスミッション部分の径方向外方に環状ピストンを構造上簡単に配置することもでき、それにより、環状ピストンを実現する大きな周面が利用可能であることから、この実施形態は、環状ピストンとして構成されるコンプレッサー部材と組み合わせて特別な利点を提供する。
【００３２】
ホイールキャリア側トランスミッション部分をハブ側トランスミッション部分の径方向外方に配置することも可能である。これにより、連結機構用の接続部の中央配置を実現することができる。
【００３３】
さらに、ハブ側トランスミッション部分がホイールキャリア側トランスミッション部分と相互作用しない位置に付勢されることを特徴とする実施形態も有利である。これにより、本発明に係るコンプレッサー装置は、タイヤ内腔における圧力媒体が必要とされる場合にのみ動作することが確実になる。このために、ハブ側トランスミッション部分は、制御インパルスによって、ホイールキャリア側トランスミッション部分と係合させることができる。この制御インパルスが与えられない場合、ハブ側トランスミッション部分は、ホイールキャリア側トランスミッション部分と相互作用しない位置に自動的に戻る。これにより、自動車は、追加のエネルギーコストを伴わずに更に動作することができる。さらに、コンプレッサー装置が不要であれば、コンプレッサー装置の摩耗は生じない。
【００３４】
ハブ側トランスミッション部分が、ホイールキャリア側トランスミッション部分と相互作用する位置に空気式、磁気式、電気式または電気機械式に移行可能である実施形態も有利である。それにより、必要に応じて、単純な制御インパルスによってコンプレッサー装置の動作を開始することができる。ここでは、ハブ側トランスミッション部分の空気式の移行が特に好ましい。
【００３５】
ハブ側トランスミッション部分が、好ましくは専ら径方向の並進運動によって、ホイールキャリア側トランスミッション部分と相互作用する位置に移行可能であることが好ましい。ハブ側トランスミッション部分は、空気または磁気により簡単に駆動することができる。
【００３６】
同様に、ハブ側トランスミッション部分が、好ましくは専ら径方向周りの回転運動によって、ホイールキャリア側トランスミッション部分と相互作用する位置に移行可能であることが有利である。また、ハブ側トランスミッション部分は、空気式または電気式若しくは電気機械式に簡単に駆動することができる。これは、ハブ側トランスミッション部分の僅かな移動経路のみをカバーすればよいという利点を有する。特に、この実施形態では、ハブ側トランスミッション部分を、ホイールキャリア側トランスミッション部分に係合するプレート状の係合部分とともに形成することが有利である。プレート状の係合部分は、そのプレート状の延在部が、コンプレッサー装置の非作動位置において、実質的に円筒カムの経路に対して略平行に向くことができ、コンプレッサー装置の動作の開始のために、係合部分が円筒カムの経路に対して実質的に直交に延在する位置に、回転により移行することができる。
【００３７】
コンプレッサー装置が、回転軸に関して真正面に対向する２つのハブ側トランスミッション部分を備える場合が有利である。これにより、運動変換を特に均一に行うことができる。対向する双方のハブ側トランスミッション部分は、共通の圧力室を介して、空気により駆動可能であり、それにより、ホイールキャリア側トランスミッション部分と相互作用する位置に移行可能であることが好ましい。
【００３８】
コンプレッサー装置が連結機構を備え、この連結機構により、ハブ側トランスミッション部分をホイールキャリア側トランスミッション部分と相互作用させることができる場合が有利である。コンプレッサー装置は、必要に応じて、簡単な方法で作動させることができる。
【００３９】
連結機構は、ハブ側トランスミッション部分が、ホイールキャリア側トランスミッション部分と相互作用しない位置に付勢されるように形成される場合が有利である。コンプレッサー装置は、この付勢に起因して、自動的に非作動位置に戻る。
【００４０】
連結機構は、好ましくは空気により作動可能であり、アキュムレーターまたはタイヤ内腔からの圧力を連結に利用することができる。
【００４１】
従って、連結機構は、タイヤ内腔からの圧力媒体によって作動可能であることが好ましい。
【００４２】
連結機構とタイヤ内腔との間には、タイヤ内腔からの圧力媒体が接するカップリングバルブが流動的に設けられ、このカップリングバルブは、タイヤ圧力閾値を下回ると開き、それにより、連結機構は、タイヤ内腔からの圧力媒体によって作動し、ハブ側トランスミッション部分をホイールキャリア側トランスミッション部分と相互作用させる場合が有利である。これにより、タイヤの自動的な充填が保証される。換言すれば、タイヤ内腔における圧力が圧力閾値を下回ると、上記カップリングバルブが開き、空気により駆動可能なハブ側トランスミッション部分が、ホイールキャリア側トランスミッション部分と相互作用する位置に移行し、それにより、コンプレッサー部材が振動並進運動に移行し、コンプレッサー装置が、圧縮室からの圧力媒体をタイヤ内腔に送達し始める。
【００４３】
好ましくはタイヤ圧力閾値を超えるタイヤ圧力目標値を上回ると、バルブが閉じ、それにより、連結機構に圧力媒体を作用させることが中止され、好ましくは、カップリングバルブまたはリリーフバルブは、タイヤ圧力目標値を上回ると、連結機構の排気を行う場合が有利である。その結果、コンプレッサー装置は自動的かつ迅速にオフになる。ここでは、タイヤ圧力閾値と目標圧力との間に差がある場合、すなわち、目標圧力がタイヤ圧力閾値よりも高い場合が特に好ましい。カップリングバルブが開くと、そのためいくらかのヒステリシスが生じる。例えば、カップリングバルブは、タイヤ圧力が値ｘに満たない場合に開くことができ、タイヤ圧力が値１、１ｘを超える場合には再び閉じることができる。
【００４４】
コンプレッサー装置は、タイヤ内腔における圧力媒体の圧力、温度および／または湿度の測定および／または表示を行う装置を備え、好ましくは、この装置は、圧力媒体導管を介してタイヤ内腔に接続可能である場合が有利である。コンプレッサー装置は、いずれにしてもタイヤ内腔に接続されており、タイヤ内腔における圧力媒体の状態に関する測定データを簡単な様式で送ることができる。
【００４５】
コンプレッサー装置は、圧力媒体入口側がフィルターに接続される場合が有利である。これにより、コンプレッサー装置の排気が汚染されることが回避される。
【００４６】
コンプレッサー装置は、フィルターの清掃のために、タイヤ内腔からの或いはコンプレッサー装置による送達を介した圧力媒体を利用するように構成されることが有利である。フィルターを備えるコンプレッサー装置は、こうして略自発的に清掃される。
【００４７】
本発明の更なる特徴、使用可能性および利点は、図面に基づいて説明される本発明の実施例の以下の記載から明らかになる。これらの特徴は、明示的に言及されていなくても、単独および種々の組合せの双方において、本発明の本質とすることができる。
【図面の簡単な説明】
【００４８】
【図１】本発明に係るコンプレッサー装置の設置状態の概略図である。
【図２】本発明の第１の実施形態によるコンプレッサー装置の図である。
【図３】本発明の第１の実施形態によるコンプレッサー装置の図である。
【図４】本発明の第１の実施形態によるコンプレッサー装置の図である。
【図５】本発明の第１の実施形態によるコンプレッサー装置の図である。
【図６】本発明の他の実施形態によるコンプレッサー装置の図である。
【図７】本発明の他の実施形態によるコンプレッサー装置の図である。
【図８】本発明の他の実施形態によるコンプレッサー装置の図である。
【図９】本発明の更に他の実施形態によるコンプレッサー装置の図である。
【図１０】本発明の更に他の実施形態によるコンプレッサー装置の図である。
【図１１】本発明の更に他の実施形態によるコンプレッサー装置の図である。
【図１２】本発明の更に他の実施形態によるコンプレッサー装置の図である。
【図１３】本発明の更なる実施形態によるコンプレッサー装置の図である。
【図１４】本発明の更なる実施形態によるコンプレッサー装置の図である。
【図１５】本発明の別の実施形態によるコンプレッサー装置の図である。。
【図１６】本発明の別の実施形態によるコンプレッサー装置の図である。。
【図１７】本発明の別の実施形態によるコンプレッサー装置の図である。。
【図１８】フィルターを備えるコンプレッサー装置の概略図である。
【図１９】カップリングバルブを備えるコンプレッサー装置の概略図である。
【発明を実施するための形態】
【００４９】
一連の図面において、対応する部材および要素には、同じ参照符号が付されている。
【００５０】
図１において、本発明に係るコンプレッサー装置１０の設置位置が概略的に示されている。コンプレッサー装置は、図１では、網掛け領域によって単に概略的に示されている。
【００５１】
リムには参照符号１２が付されている。ブレーキディスクには参照符号１４が付され、ホイールキャリアには参照符号１６が付され、ホイールハブには参照符号１８が付され、ホイールベアリングには参照符号２０が付されている。
【００５２】
コンプレッサー装置１０からは、タイヤ内腔２４に向かって、圧力媒体導管２２が延在する。タイヤ自体は、図１には示されていない。
【００５３】
ホイールハブ受け部２６の領域において、リムは、シール剤を供給するための概略的に示されたポート２８を有する。ここでは、ポート２８は任意のものである。
【００５４】
回転軸２９は、一点鎖線で示されており、参照符号２９が付されている。図１に示されている実施形態において、圧力媒体導管２２は、リム１２の材料を通って延在する。圧力媒体導管２２の一部は、ブレーキディスク１４の中空のブレーキディスク固定ねじによって実現されることが有利である。
【００５５】
圧力媒体導管２２が少なくとも部分的にリム１２の材料を通って延在する一般的なリムと組み合わせたコンプレッサー装置も、本願の意味において独立した発明である。
【００５６】
図２は、本発明に係るコンプレッサー装置１０の第１の実施形態を側面図で示している。コンプレッサー装置１０は、第１のハブ側ハウジング部分３０および第２のハブ側ハウジング部分３２を有する。
【００５７】
図３において、図２のコンプレッサー装置１０の、矢印ＩＩＩの方向から見た回転軸２９に沿った断面が示されている。
【００５８】
トランスミッションには、参照符号３３が付され、カムトランスミッションとして構成されている。ハブ側トランスミッション部分には参照符号３４が付されている。図３では、コンプレッサー装置１０が複数のハブ側トランスミッション部分３４を備えることが見て取れる。ハブ側トランスミッション部分３４には、環状ピストン３６が接続され、この環状ピストン３６は、コンプレッサー部材３８をなす。ハブ側トランスミッション部分３４は、そのリニアガイド軸受によって、トランスミッション３３のプランジャー出力部を形成する。
【００５９】
環状ピストン３６の形態のコンプレッサー部材３８は、第１の圧縮室４０および第２の圧縮室４２を画定する。
【００６０】
ハブ側トランスミッション部分３４は、ホイールキャリア側トランスミッション部分４４と相互作用することができるように係合する。ハブ側トランスミッション部分３４は、第１のハブ側ハウジング部分においてスロット形状の凹部４６内に支持される。スロット形状の凹部４６内に支持されることにより、ハブ側トランスミッション部分３４は、単に回転軸２９の方向に沿って第１のハブ側ハウジング部分３０に対して並進運動することができる。
【００６１】
ハブ側トランスミッション部分３４は、既に述べたように、ホイールキャリア側トランスミッション部分４４と係合する。この場合、それぞれのハブ側トランスミッション部分３４の係合部分４８が、ホイールキャリア側トランスミッション部分にあるカムトラック５０に係合する。カムトラック５０は、円筒カム５２の一実施形態である。
【００６２】
図４において、図２、３のコンプレッサー装置が断面斜視図で示され、図５においては、図４と同様の斜視図で示されている。図５では、ハブ側トランスミッション部分３４のうちの１つのみが示され、環状ピストン３６および第２のハブ側トランスミッション部分３４および第１のハブ側ハウジング部分３０は、それぞれ示されていない。そのため、図５では、カムトラック５０の経路が特に明確に見て取れる。
【００６３】
図４において、コンプレッサー装置１０の動作モードが示されている。ホイールキャリア側トランスミッション部分４４とハブ側部品との回転相対運動は、参照符号５４の付された曲線矢印によって示されている。カムトラック５０がその周方向経路にわたって回転軸２９の方向における位置を変え、ホイールキャリア側トランスミッション部分４４が回転軸２９に沿ってハブ側部品に対して並進運動することが阻止されることで、ハブ側トランスミッション部分３４は、ホイールキャリア側トランスミッション部分４４の回転によって、二方向矢印５６で示される方向に沿って前後に回転軸２９に沿って動く。
【００６４】
図６は、本発明に係るコンプレッサー装置１０の代替的な一実施形態を示している。
【００６５】
図６〜図８による実施形態は、ハブ側トランスミッション部分３４がホイールキャリア側トランスミッション部分４４と連結可能であるという点で、先行の実施形態１〜５とは異なる。ハブ側トランスミッション部分３４とホイールキャリア側トランスミッション部分４４とを連結するために、トランスミッション部分側圧力媒体チャンバー６０に圧力媒体を作用させることにより、ハブ側トランスミッション部分３４がホイールキャリア側トランスミッション部分４４の方向に動く。ハブ側トランスミッション部分３４およびトランスミッション部分側圧力媒体チャンバー６０は、連結機構６２の一部分を形成する。
【００６６】
トランスミッション部分側圧力室６０に圧力媒体がこれ以上作用しなくなると、ハブ側トランスミッション部分３４は、圧力ばね６４によって付勢位置にそれぞれ付勢されているため、図７の右側に示されているような付勢された位置に戻る。
【００６７】
図７の左側に示されているハブ側トランスミッション部分３４は、ホイールキャリア側トランスミッション部分４４に係合し、ホイールキャリア側トランスミッション部分４４と相互作用する。ホイールキャリア側トランスミッション部分４４と係合させるためには、ハブ側トランスミッション部分３４を、径方向６６においてホイールキャリア側トランスミッション部分４４に対して動かす。
【００６８】
ハブ側トランスミッション部分３４は、ホイールキャリア側トランスミッション部分に面する端部７０において、その断面が径方向６６に見て広がるように構成される。
【００６９】
カム溝によって形成されているカムトラック５２は、２つのカムフランク７２を有し、双方のカムフランク７２は、径方向に見て回転軸に向かって延在する。従って、カムフランク７２は、図７の断面図において、すなわち、径方向６６に沿った断面において、厳密に径方向６６には延在しないことを意味する。換言すれば、カムトラック５２の内法は、径方向外方に増大する。
【００７０】
先程概説したように、カムトラック５２およびハブ側トランスミッション部分３４の係合部分４８を斜めに構成することにより、ホイールキャリア側トランスミッション部分４４に対するハブ側トランスミッション部分３４の緩やかな連結および分離が可能になる。
【００７１】
図９、１０は、コンプレッサー装置１０の代替的な一実施形態を示している。この実施形態では、ハブ側トランスミッション部分３４は、回転可能な球状の係合要素４８によって鉛筆形に形成されている。
【００７２】
ホイールキャリア側トランスミッション部分４４は、カムトラック５０として形成された円筒カム５２を含む。カムトラックは、段差部７６を有する。段差部７６は、急な段差ではなく、第１の拡張領域７８からカムトラックの奥のより狭い領域８０への緩やかな移行を呈する。
【００７３】
図９に特によく示されているように、環状の圧縮室４０は、チェックバルブを備える。第１のタイプのチェックバルブ８２は、圧縮室４０に対して、環状ピストンの送出動作の際に空気が流出することができるように設けられ、一方、第２のタイプのチェックバルブ８４は、環状ピストンの吸引動作の際に圧縮室４０内に空気を吸引することができるように設けられる。
【００７４】
図１０は、図９のコンプレッサー装置１０を、周方向に９０度回転した断面において示している。９０度回転した断面であるので、段差部７６は、もはやカムトラック５０の下側ではなく上側に配置されている。図９、１０に示されているこの双方の角度の間の断面では、段差部７６は、カムトラック５０の上側および下側の双方に低減した形で形成され、ハブ側トランスミッション部分の緩やかな連結が常に保証されるようになっている。
【００７５】
ハブ側トランスミッション部分３４をカムトラック５０に連結する工程は、図１１、１２において概略的に示されている。
【００７６】
ハブ側トランスミッション部分３４の連結動作は、矢印８６によって象徴的に示されている。ハブ側トランスミッション部分３４の径方向内方に向かう動きを通して、ハブ側トランスミッション部分３４は、径方向内方に向かう動き８６に加えて、参照符号８８の付された矢印によって示される回転軸の方向へも動く。
【００７７】
この動きは、環状ピストン３８の動きをもたらす。これに続いてハブ側トランスミッション部分３４に対するホイールキャリア側トランスミッション部分４４の回転相対運動によって生じるハブ側トランスミッション部分３４の動きは、環状ピストン３６に伝達され、これは、圧縮室４０からの圧力媒体の送出をもたらす。
【００７８】
図１３は、本発明に係るコンプレッサー装置１０の更なる代替的な一実施形態を示している。図１３、１４に示されている実施形態において、円筒カム５２は、カムトラック５０の代わりに、隆起円筒カム９０として構成されている。
【００７９】
また、隆起円筒カム９０は、回転軸２９の方向に見ると、コンプレッサー装置が圧力媒体を送達する場合、それぞれハブ側トランスミッション部分３４によって上下から係合する。この送達状態は、図１４に示されており、一方、図１３は、ハブ側トランスミッション部分３４が隆起円筒カム９０に対して離間した配置にある、コンプレッサー装置１０の解放位置を示している。
【００８０】
ハブ側トランスミッション部分３４は、ばねによって、図１３に示されている位置に付勢されている。コンプレッサー装置１０を送達状態に移行させるために、矢印９５の方向において圧力チャンバー９６内に圧力媒体を導入する。これにより、ハブ側トランスミッション部分３４が隆起円筒カム９０に向かって動き、図１４に示されているように、隆起円筒カム９０を把持する。この状態は、ハブ側トランスミッション部分３４に圧力室９６を介して圧力媒体が作用する限り持続する。
【００８１】
ハブ側トランスミッション部分３４が隆起円筒カム９０に接触している場合、矢印９８によって示されているように、環状ピストンが前後に動く。圧力媒体は、環状の圧縮室を介して送達される。この場合、出口方向に開放するチェックバルブ８２が開き、圧力媒体が矢印１００の方向に流れる。ピストンが吸引フェーズにある場合、矢印１０２によって示されているように、入口方向に開放するチェックバルブ８４を介して周囲空気が吸引される。
【００８２】
ハブに固定された部品、すなわちハブ側部品に対するホイールキャリア側トランスミッション部分４４の回転は、図１４において矢印１０４によって示されている。
【００８３】
図１５は、本発明に係るコンプレッサー装置１０の更なる一実施形態を示している。
【００８４】
この実施形態では、円筒カム５２は、図１３、１４の実施形態におけるように、隆起円筒カム９０として構成される。しかし、図１５〜図１７の実施形態の隆起円筒カム９０は、図１３、１４の隆起円筒カム９０とは、隆起円筒カム９０の径方向外方に円盤部１１０を有するという点で異なっている。
【００８５】
円盤部１１０の表面は、回転方向２９に見て、それぞれ１つの平面に延在し、一方、隆起円筒カムの表面は、回転方向２９において上記平面から周方向に沿って上下に延在する。
【００８６】
ハブ側トランスミッション部分３４は、隆起円筒カム９０を、回転方向２９に見て、それぞれ上側および下側から把持する転動体１１２を有する鉗子のように、それぞれ形成されている。
【００８７】
転動体１１２が隆起円筒カム９０の円盤部１１０に接触している場合、ハブ側トランスミッション部分３４は回転軸２９の方向に変位しないため、コンプレッサー部材３６の動きは生じない。
【００８８】
ここで、図１６において矢印１１６によって示されているように、圧力媒体が圧力室１１４に導入される場合、ハブ側トランスミッション部分３４は、転動体１１２とともに径方向内方に動き、それにより、転動体１１２は、円盤部１１０から隆起円筒カム９０上へと押される。
【００８９】
ここでは、ばね１１８が、圧力室１１４内への圧力媒体の圧力がハブ側トランスミッション部分３４を完全には径方向内方に押すことができないような強さで、ハブ側トランスミッション部分３４を径方向外方に付勢するように構成される。圧力室１１４内の圧力媒体の圧力は、充填を行うタイヤのタイヤ内腔との接続によって提供される。このために、圧力室１１４は、或る特定の閾値圧力を下回る場合に開放されるカップリングバルブを介して、タイヤ内腔に接続される。閾値を超える目標圧力に達した場合、このカップリングバルブは閉じ、圧力室１１４への導管が排気される。
【００９０】
図１７において、ハブ側トランスミッション部分３４が最大撓み状態で隆起円筒カム９０に押し付けられている状態が示されている。ハブ側トランスミッション部分３４は停止部を有せず、ばね１１８を介して径方向外方に付勢されるとともに、圧力媒体の作用により径方向内方に押されることから、その位置は正確に与えられるものではなく、それにより、隆起円筒カム９０の条痕が摩耗によって形成されることが回避される。ハブ側トランスミッション部分３４は、隆起円筒カム９０との可変の接触部１５０を有する。
【００９１】
さらに、この実施形態において、ハブ側トランスミッション部分に圧力がかかっていないとき、転動体１１２が隆起円筒カム９０に接触しないように、ハブ側トランスミッション部分３４の鉗子状のアームが互いから離れるように動く場合が好ましい。
【００９２】
図１８に示されているように、コンプレッサー装置１０は、概して、フィルター２００および制御装置２１０に接続することができる。この場合、フィルター２００は、コンプレッサー装置１０の圧力媒体入口または空気入口の前に流動的に配置されるように設けられることが好ましい。
【００９３】
フィルター２００が詰まった場合、制御装置２１０は、測定接続部２２０を介してそれを検出することができる。制御装置２１０によってフィルター２００の詰まりが検出された場合、反対の流れ方向に圧力媒体または空気を作用させることによって、フィルターを清掃することができる。コンプレッサー装置１０の通常の動作モードにおいて、空気は、フィルター２００を介してコンプレッサー装置１０の方向に送達され、そこからタイヤ内腔２４へと送達される。清掃工程において、圧力媒体または空気は、タイヤ内腔２４から排出されて、フィルター２００を通して反対の流れ方向に送達されるか、或いは、コンプレッサー装置１０が動作を開始して、反対の流れ方向において、タイヤ内腔２４の代わりにフィルター２００に圧力媒体を送達する。このために、コンプレッサー装置１０は、同様の方法で清掃が可能な更なる空気フィルター２４０を備える追加の入口２３０を介して、圧力媒体を吸引する。
【００９４】
制御装置２１０は、タイヤ内腔２４における圧力媒体の圧力、温度および／または湿度の測定および／または表示を行うように機能することができ、これらの機能は、制御装置２１０の更なる機能とは独立していることが有利である。
【００９５】
図２３において、連結機構５４の制御系の例示的な一変形形態が示されている。ただし、連結機構５４の作動は、電気式、電磁式または電気機械式のいずれでも行うことができる。このために、車両の主バッテリーから或いは車両に設けられた発電機若しくは別のエネルギー源からの電気エネルギーを、摺動接触によってハブ側に導くことができる。
【００９６】
一方、発電機をハブ側に配置し、ハブ側とホイールキャリア側との回転相対運動により電気エネルギーを得ることも考えられる。同様に、アキュムレーターをハブ側に、特にリム１のスポークに配置することも考えられる。
【００９７】
コンプレッサー装置１０、特にその連結機構５４は、連結圧力媒体導管３００を介してタイヤ内腔２４に接続される。連結圧力媒体導管３００には、カップリングバルブ３１０が配置される。連結圧力媒体導管３００において、リリーフバルブ３２０が更に設けられる。コンプレッサー装置１０の圧縮室４０、４２は、送達のために設けられた圧力媒体導管３３０を介してタイヤ内腔２４に接続される。
【００９８】
カップリングバルブ３１０において、タイヤ内腔２４の圧力媒体は、タイヤ内を占める圧力の下にある。タイヤ圧力閾値を下回る場合、カップリングバルブ３１０は開き、これにより、連結機構５４は、タイヤ内腔２４からの圧力媒体によって作動し、ハブ側トランスミッション部分３４がホイールキャリア側トランスミッション部分４４と相互作用するようになる。
【００９９】
車両が走行する場合、すなわち、ハブ側とホイールキャリア側との回転相対運動が行われる場合、圧縮室４０、４２からの圧力媒体が、送達のために設けられた圧力媒体導管３３０を介して、タイヤ内腔２４に送達される。
【０１００】
連結圧力媒体導管３００および送達のために設けられた圧力媒体導管３３０は、共通して単一の導管としても構成することができる。
【０１０１】
好ましくはタイヤ圧力閾値を超えるタイヤ圧力目標値を上回る場合、カップリングバルブ３１０が閉じ、これにより、連結機構５４に圧力媒体を作用させることが中止される。タイヤ圧力目標値を上回る場合、カップリングバルブ３１０またはリリーフバルブ３２０を介して連結機構５４が排気されることが好ましい。従って、タイヤ内腔２４内の圧力媒体目標値に達するとすぐに、コンプレッサー装置１０がその動作を直接停止することが保証される。
【０１０２】
連結機構５４のこの動作モードは、本願のコンプレッサー装置１０の上記実施形態の全ての実施形態および個々の態様と組合せ可能である。
【符号の説明】
【０１０３】
１０    コンプレッサー装置
１２    リム
１４    ブレーキディスク
１６    ホイールキャリア
１８    ホイールハブ
２０    ホイールベアリング
２２    圧力媒体導管
２４    タイヤ内腔
２６    ホイールハブ受け部
２８    ポート
２９    回転軸
３０    第１のハブ側ハウジング部分
３２    第２のハブ側ハウジング部分
３３    トランスミッション
３４    ハブ側トランスミッション部分
３６    環状ピストン
３８    環状ピストン
４０    第１の圧縮室
４２    第２の圧縮室
４４    ホイールキャリア側トランスミッション部分
４６    凹部
４８    係合部分
５０    カムトラック
５２    カムトラック
５４    連結機構
６０    トランスミッション部分側圧力媒体チャンバー
６２    連結機構
６６    径方向
７０    端部
７２    カムフランク
７６    段差部
７８    第１の拡張領域
８０    領域
８２    チェックバルブ
８４    チェックバルブ
９０    隆起円筒カム
９６    圧力チャンバー
１１０    円盤部
１１２    転動体
１１４    圧力室
１５０    接触部
２００    フィルター
２１０    制御装置
２２０    測定接続部
２３０    入口
２４０    空気フィルター
３００    連結圧力媒体導管
３１０    カップリングバルブ
３２０    リリーフバルブ
３３０    圧力媒体導管
【図１】
2019535586.tif 000003
【図２】
2019535586.tif 000004
【図３】
2019535586.tif 000005
【図４】
2019535586.tif 000006
【図５】
2019535586.tif 000007
【図６】
2019535586.tif 000008
【図７】
2019535586.tif 000009
【図８】
2019535586.tif 000010
【図９】
2019535586.tif 000011
【図１０】
2019535586.tif 000012
【図１１】
2019535586.tif 000013
【図１２】
2019535586.tif 000014
【図１３】
2019535586.tif 000015
【図１４】
2019535586.tif 000016
【図１５】
2019535586.tif 000017
【図１６】
2019535586.tif 000018
【図１７】
2019535586.tif 000019
【図１８】
2019535586.tif 000020
【図１９】
2019535586.tif 000021
【国際調査報告】
2019535586.tif 000022
2019535586.tif 000023
2019535586.tif 000024
2019535586.tif 000025